(57)【要約】【課題】本開示は、カメラをさらに小型化するために有効なレンズ鏡筒を提供する。【解決手段】本開示におけるレンズ鏡筒は、レンズと、レンズに対してレンズの径方向に突出した位置に設けられ、レンズとの間に窪みを形成する接着溜まりと、を有する第１枠であって、接着溜まりに接着剤が注入されることで、レンズを保持する第１枠と、第１枠に対して、レンズの光軸方向に相対的に移動できる第２枠であって、光軸方向から見た場合に、接着溜まりと対応する箇所に、貫通孔が形成された第２枠と、を備える。【選択図】図８
2014224985.tif 000002
【特許請求の範囲】
【請求項１】
レンズと、前記レンズに対して前記レンズの径方向に突出した位置に設けられ、前記レンズとの間に窪みを形成する接着溜まりと、を有し、前記接着溜まりに接着剤が注入されることで、前記レンズを保持する第１枠と、
前記第１枠に対して、前記レンズの光軸方向に相対的に移動できる第２枠であって、前記光軸方向から見た場合に、前記接着溜まりと対応する箇所に、貫通孔が形成された第２枠と、を備える、
レンズ鏡筒。
【請求項２】
前記第１枠と前記第２枠とが最も接近した状態で、前記貫通孔の内側の淵で形成される仮想的な面と、前記接着溜まりの一部分とが重なる、
請求項１に記載のレンズ鏡筒。
【請求項３】
前記第２枠は、前記第１枠の一部分を収容する収容部が形成されており、前記収容部はテーパー形状をしており、前記テーパー形状の一部に前記貫通孔が形成されている、
請求項１に記載のレンズ鏡筒。
【請求項４】
レンズと、前記レンズに対して前記レンズの径方向に突出した位置に設けられ、前記レンズとの間に窪みを形成する接着溜まりと、を有し、前記レンズの光軸に対して垂直な面内で移動可能であり、前記接着溜まりに接着剤が注入されることで、前記レンズを保持する第１枠と、
前記第１枠に対して、前記レンズの光軸方向に相対的に移動できる第２枠であって、前記光軸方向から見た場合に、前記接着溜まりと対応する箇所に、貫通孔が形成された第２枠と、を備える、
レンズ鏡筒。
【請求項５】
前記第１枠と前記第２枠とが最も接近した状態で、前記貫通孔の内側の淵で形成される仮想的な面と、前記接着溜まりの一部分とが重なる、
請求項４に記載のレンズ鏡筒。
【請求項６】
前記第２枠は、前記第１枠の一部分を収容する収容部が形成されており、前記収容部はテーパー形状をしており、前記テーパー形状の一部に前記貫通孔が形成されている、
請求項４に記載のレンズ鏡筒。
【請求項７】
レンズと、前記レンズに対して前記レンズの径方向に突出した位置に設けられ、前記レンズとの間に窪みを形成する接着溜まりと、を有する第１枠であって、前記接着溜まりに接着剤が注入されることで、前記レンズを保持する第１枠と、
前記第１枠に対して、前記レンズの光軸方向に相対的に移動できる第２枠であって、前記光軸方向から見た場合に、前記接着溜まりと対応する箇所に、凹みが形成された第２枠と、を備える、
レンズ鏡筒。
【発明の詳細な説明】
【技術分野】
【０００１】
本開示は、レンズ鏡筒に関する。特に、本開示は、カメラに着脱可能な交換レンズ、又はカメラに固定されるレンズ鏡筒ユニット等に関する。
【背景技術】
【０００２】
特許文献１は、デジタルスチルカメラに用いられるレンズ鏡筒を開示する。特許文献１に開示されるレンズ鏡筒は、小型化を目的としたものである。
【先行技術文献】
【特許文献】
【０００３】
【特許文献１】特開２０１０−２２４５２６号公報
【発明の概要】
【発明が解決しようとする課題】
【０００４】
本開示は、カメラをさらに小型化するために有効なレンズ鏡筒を提供する。
【課題を解決するための手段】
【０００５】
本開示におけるレンズ鏡筒は、レンズと、レンズに対してレンズの径方向に突出した位置に設けられ、レンズとの間に窪みを形成する接着溜まりと、を有し、接着溜まりに接着剤が注入されることで、レンズを保持する第１枠と、第１枠に対して、レンズの光軸方向に相対的に移動できる第２枠であって、光軸方向から見た場合に、接着溜まりと対応する箇所に、貫通孔が形成された第２枠と、を備える。
【発明の効果】
【０００６】
本開示は、カメラをさらに小型化するために有効なレンズ鏡筒を提供できる。
【図面の簡単な説明】
【０００７】
【図１】図１は、実施の形態１における交換レンズの分解斜視図である。
【図２Ａ】図２Ａは、実施の形態１における３−４群ユニットの分解斜視図である。
【図２Ｂ】図２Ｂは、実施の形態１における３−４群ユニットの側面図である。
【図２Ｃ】図２Ｃは、図２Ｂの２Ｃ−２Ｃ断面を示す断面図である。
【図３Ａ】図３Ａは、実施の形態１における２群ユニットの側面図である。
【図３Ｂ】図３Ｂは、実施の形態１における２群ユニットの斜視図である。
【図４】図４は、実施の形態１における望遠時の交換レンズの断面図である。
【図５】図５は、実施の形態１における広角時の交換レンズの断面図である。
【図６Ａ】図６Ａは、図４の６Ａを示す部分拡大図である。
【図６Ｂ】図６Ｂは、図６Ａの６Ｂを示す部分拡大図である。
【図７】図７は、図５の７Ａを示す部分拡大図である。
【図８】図８は、実施の形態１における３−４群ユニットの斜視図である。
【図９】図９は、実施の形態１における３群ユニットの斜視図である。
【図１０】図１０は、実施の形態１における４群ユニットの斜視図である。
【図１１】図１１は、実施の形態１における広角時の交換レンズの４群ユニットの移動範囲を説明するための断面図である。
【図１２】図１２は、実施の形態１における望遠時の交換レンズの４群ユニットの移動範囲を説明するための断面図である。
【図１３Ａ】図１３Ａは、４群ユニットが最も被写体側に寄っている状態を示す３−４群ユニットの側面図である。
【図１３Ｂ】図１３Ｂは、４群ユニットが最も像面側に寄っている状態を示す３−４群ユニットの側面図である。
【図１４】図１４は、実施の形態１における３−４群ユニットの位置関係を示す断面図である。
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、発明者（ら）は、当業者が本開示を十分に理解するために添付図面および以下の説明を提供するのであって、これらによって特許請求の範囲に記載の主題を限定することを意図するものではない。
【００１０】
（実施の形態１）
以下、図面を用いて、実施の形態１を説明する。
【００１１】
［１．交換レンズ９００の全体構成］
図１を用いて交換レンズ９００の全体構成について説明する。図１は、交換レンズ９００の分解斜視図である。
【００１２】
交換レンズ９００は、１群ユニット９０１、２群ユニット９０２、３−４群ユニット９０３、５群ユニット９０４、直進固定枠９０５、カム筒９０６、及び外装ユニット９０７で構成されている。
【００１３】
交換レンズ９００は、各部品を次の順に組み立てることで完成される。まず、カム筒９０６に対して、直進固定枠９０５、５群ユニット９０４、３−４群ユニット９０３、２群ユニット９０２が順に組み付けられる。その後、各部品が組み付けられたカム筒９０６は、１群ユニット９０１に組み付けられる。最後に、カム筒９０６が組み付けられた１群ユニット９０１は、外装ユニット９０７に組み付けられる。この手順で各部品を組み付けることで、交換レンズ９００は完成される。
【００１４】
交換レンズ９００は、外装ユニット９０７に設けられたズームリングが回転されると、ズームリングの回転に従ってカム筒９０６が回転するように構成されている。交換レンズ９００は、カム筒９０６が回転すると、１群ユニット９０１、２群ユニット９０２、３−４群ユニット９０３、５群ユニット９０４が、光軸方向に移動するように構成されている。各ユニットは、カム筒９０６に形成されるカム溝に対して係合するカムフォロアを有している。また、各ユニットは、直進固定枠９０５に形成される規制溝に対して係合する規制突起を有している。これによって、各ユニットは、直進固定枠９０５及びカム筒９０６に対して、相対的に光軸方向に移動できるように構成されている。
【００１５】
なお、不図示ではあるが、１群ユニット９０１と２群ユニット９０２との間には、後述する遮光シートが配置されている。
【００１６】
［２．３−４群ユニット９０３を構成する部品］
次に、３−４群ユニット９０３を構成する部品について図２Ａ〜図２Ｃを用いて説明する。図２Ａは、３−４群ユニット９０３の分解斜視図、図２Ｂは、３−４群ユニット９０３の側面図、図２Ｃは、図２Ｂの２Ｃ−２Ｃ断面を示す断面図である。
【００１７】
図２Ａに示すように、３−４群ユニット９０３は、絞りユニット２００、３群ユニット３００、４群ユニット４００、及びシャフト保持部５００、で構成されている。
【００１８】
絞りユニット２００は、絞りベース枠２０１、絞りカバー２０２、カムピン２０３、２０４、カムピンバネ２０５、ガタ調整カムピン２０６、摺動シャフト２０７、２０８、２０９、移動規制ピン２１０、回動軸２１１、及び規制突起２１２で構成される。
【００１９】
図１に示すカム筒９０６が回転した場合、規制突起２１２（他の２つの規制突起は不図示）が図１に示す直進固定枠９０５によって回転規制される。また、カム筒９０６が回転した場合、カムピン２０３、２０４、及びガタ調整カムピン２０６がカム筒９０６のカム溝に沿って移動する。これにより、絞りユニット２００は、光軸方向に移動する。また、摺動シャフト２０７、２０８、２０９、移動規制ピン２１０、及び回動軸２１１は、３群ユニット３００によるぶれ補正を実現するために用いられている。詳細については後述する。
【００２０】
３群ユニット３００は、３群枠３０１、ヨーク３０２、３０３、マグネット３０４、３０５、位置検出センサ用マグネット３０６、遮光シート３０７、３０８、レンズＬ８、Ｌ９、Ｌ１０、Ｌ１１で構成される。
【００２１】
３群ユニット３００は、絞りユニット２００に設けられる不図示のコイルとマグネット３０４、３０５との間で生じる相互作用により、交換レンズ９００の光軸と垂直な面内で移動できる。つまり、レンズＬ８〜Ｌ１１は、レンズ内におけるぶれ補正機能を実現している。
【００２２】
具体的には、図２Ｂに示すように、３群ユニット３００は、摺動シャフト２０７、２０８、不図示の摺動シャフト２０９により交換レンズ９００の光軸方向の移動を規制されている。また、図２Ｃに示すように、３群ユニット３００は、回動軸２１１を軸として、交換レンズ９００の光軸に垂直な面内で移動する。また、移動規制ピン２１０は、３群ユニット３００に設けられた孔に挿通されている。これにより、３群ユニット３００の、交換レンズ９００の光軸に垂直な面内での移動範囲は、３群ユニット３００に設けられた孔の大きさにより制限されている。このような構成により、３群ユニット３００は、交換レンズ９００の光軸に垂直な面内において、規制された範囲内で移動できる。より具体的には、３群ユニット３００は、回動軸２１１を基準として、Ｄ１−Ｄ２方向に並進移動でき、Ｄ３−Ｄ４方向に回動移動できる。
【００２３】
また、図２Ａに示すように、レンズＬ８は、調心レンズとして、３群ユニット３００全体の光学調整に用いられる。つまり、３群ユニット３００には、より高い光学性能を持たせられる。本実施の形態では、４枚のレンズを含む３群ユニット３００全体をぶれ補正に用いている。そのため、交換レンズ９００全体のぶれ補正の性能は比較的高くなっている。
【００２４】
また、３群ユニット３００は、４枚のレンズＬ８〜Ｌ１１を保持している。３群枠３０１は、４枚のレンズＬ８〜Ｌ１１を保持するため、像面側に突出するような形状となっている。
【００２５】
４群ユニット４００は、４群枠４０１、フォーカスラックピン４０２、フォーカスラックバネ４０３、フォーカスラック４０４、シャフト４０５、４０６、フォーカスモータユニット４０７、ビス４０８、４０９、４１０、フォトインタラプタ４１１、及びレンズＬ１２で構成される。
【００２６】
フォーカスモータユニット４０７は、絞りユニット２００に対して、ビス４０８，４０９、４１０で固定される。シャフト４０５、４０６は、絞りユニット２００に設けられた不図示の孔に圧入される。４群ユニット４００の４群枠４０１は、シャフト４０５、４０６により、光軸方向への移動が可能に支持される。また、４群枠４０１は、シャフト４０５、４０６により、交換レンズ９００の光軸と垂直な面内での移動を規制される。また、４群枠４０１は、フォーカスモータユニット４０７の駆動力により、交換レンズ９００の光軸方向に移動される。
【００２７】
［３．２群ユニット９０２の構成］
次に、２群ユニット９０２の構成について図３Ａ〜図７を用いて説明する。図３Ａは、２群ユニット９０２の側面図、図３Ｂは、２群ユニット９０２の斜視図、図４は、望遠時における交換レンズ９００の断面図である。図５は、広角時における交換レンズ９００の断面図、図６Ａは、図４の６Ａを示す部分拡大図、図６Ｂは、図６Ａの６Ｂを示す部分拡大図、図７は、図５の７Ａを示す部分拡大図である。
【００２８】
本実施の形態において、３−４群ユニット９０３は、絞り調整のための絞りユニット２００、ぶれ補正のための３群ユニット３００、及びフォーカス調整のための４群ユニット４００を含む。このように、３−４群ユニット９０３は、多くのユニットを含む。３−４群ユニット９０３は、各ユニットの駆動等のために必要なモーターや機構部品等の部品をさらに複数有している。そのため、３−４群ユニット９０３上には、これらの部品を配置するための孔や隙間を複数有することとなる。その結果、３−４群ユニット９０３は、不要光を通過させ易い構成となっている。本実施の形態において、２群ユニット９０２は、１群ユニット９０１側から直進固定枠９０５内に進入する不要光を軽減するように構成されている。
【００２９】
２群ユニット９０２は、図３Ａ、図３Ｂに示すように、外周側に突出した突起９２１、被写体側に突出した突起９２２、及び像面側に突出した遮光壁９２３を有する。
【００３０】
突起９２１、９２２は、図６Ｂに示すように、交換レンズ９００が望遠位置にある場合に、直進固定枠９０５に設けられた遮光シート９１０との関係で、不要光の直進固定枠９０５内への進入を軽減している。より具体的には、交換レンズ９００の光軸方向から見た場合に、２群ユニット９０２と直進固定枠９０５との間に形成される隙間が、遮光シート９１０と突起９２１により封じられる。また、遮光シート９１０と、突起９２１との間に形成される隙間を封じるように、交換レンズ９００の光軸方向に突起９２２が設けられている。これにより、２群ユニット９０２と直進固定枠９０５との間に不要光が入射する恐れを低減している。
【００３１】
特に、交換レンズ９００が望遠位置にある場合には、図４に示すように、１群ユニット９０１が被写体側に最も繰り出された状態となっている。したがって、仮に遮光シート９１０が設けられていなければ、不要光が２群ユニット９０２と直進固定枠９０５の隙間を通過し易くなっている。しかしながら、本実施の形態においては、直進固定枠９０５に遮光シート９１０が設けられている。したがって、２群ユニット９０２と直進固定枠９０５との間に形成された隙間に、不要光が進入しにくくなっている。なお、遮光シート９１０は、２群ユニット９０２と干渉しない位置に配置されている。したがって、２群ユニット９０２が直進固定枠９０５に対して光軸方向で移動する際に、遮光シート９１０と２群ユニット９０２とが擦れる音が発生しにくくなっている。また、ユーザが手動でズームリングを操作する際に、手に違和感を覚える可能性が低くなっている。
【００３２】
更に、２群ユニット９０２の遮光壁９２３は、図６Ａに示すように、交換レンズ９００が望遠位置にある場合に、３−４群ユニット９０３のフォーカスモータユニット４０７側への不要光の進入を軽減している。つまり、遮光壁９２３は、交換レンズ９００が望遠位置にある場合に、２群ユニット９０２と直進固定枠９０５との間に形成される隙間を通過した不要光が３−４群ユニット９０３のモーターや機構部品等の隙間を抜けていくことを軽減している。
【００３３】
なお、遮光シート９１０は、交換レンズ９００が広角位置にある場合に、図７に示すように、１群ユニット９０１の側壁部９１１と干渉しないように構成されている。また、１群ユニット９０１の端部９１２と２群ユニット９０２の突起９２２とは、それぞれ干渉しないように構成されている。したがって、１群ユニット９０１が直進固定枠９０５に対して光軸方向で移動する際に、遮光シート９１０と１群ユニット９０１とが擦れる音が発生しにくくなっている。また、ユーザが手動でズームリングを操作する際に、手に違和感を覚える可能性が低くなっている。
【００３４】
［４．３−４群ユニット９０３の具体的構成］
次に、３−４群ユニット９０３の具体的構成について、図２Ｃ、図８〜１０を用いて説明する。図８は、像面側から見た３−４群ユニット９０３の斜視図、図９は、３群ユニット３００を説明するための斜視図、図１０は、４群ユニット４００を説明するための斜視図である。
【００３５】
図８に示すように、３−４群ユニット９０３は、絞りユニット２００、３群ユニット３００、４群ユニット４００、及びシャフト保持部５００を有する。図２Ｃに示すように、３−４群ユニット９０３において、３群ユニット３００の接着溜まり３０１ａと、４群ユニット４００の貫通孔４０１ａとは、対応した位置に設けられている。また、３群ユニット３００の接着溜まり３０１ｂと、４群ユニット４００の貫通孔４０１ｂとは、対応した位置に設けられている。また、３群ユニット３００の接着溜まり３０１ｃと、４群ユニット４００の貫通孔４０１ｃとは、対応した位置に設けられている。３群ユニット３００と４群ユニット４００とをこのように構成していることによる効果については後述する。
【００３６】
図９に示すように、３群ユニット３００は、３群枠３０１上に各部品を組み付けることで構成されている。３群枠３０１は、接着溜まり３０１ａ、３０１ｂ、３０１ｃを有している。接着溜まり３０１ａ、３０１ｂ、３０１ｃは、レンズＬ１１の径方向に突出した位置に設けられている。接着溜まり３０１ａ、３０１ｂ、３０１ｃは、レンズＬ１１との間に窪みを形成する。接着溜まり３０１ａ、３０１ｂ、３０１ｃに、レンズＬ１１を載置し、接着剤を注入することで、レンズＬ１１は、３群枠３０１に保持される。レンズＬ１１は、接着材により３群枠３０１に固定されることで、カシメ固定される場合と比較して、レンズＬ１１の光学性能をより高く維持できる。また、３群枠３０１は、接着溜まり３０１ａ、３０１ｂ、３０１ｃを確保しつつ、それ以外の部分を像面側により突出しないようにしている。
【００３７】
図１０に示すように、４群ユニット４００は、４群枠４０１上に各部品を組み付けることで構成されている。４群枠４０１は、貫通孔４０１ａ、４０１ｂ、４０１ｃを有している。上述したように、貫通孔４０１ａ、４０１ｂ、４０１ｃは、４群ユニット４００が３群ユニット３００に対して組み付けられた状態で、接着溜まり３０１ａ、３０１ｂ、３０１ｃと対応した位置に配置される。なお、３群ユニット３００は、交換レンズ９００の光軸と垂直な面内で移動できる。したがって、３群ユニット３００の移動範囲を、貫通孔４０１ａ、４０１ｂ、４０１ｃで規制しないよう各貫通孔の大きさが調整されている。
【００３８】
また、４群枠４０１には、レンズＬ１２が接着材により固定されている。また、４群枠４０１には、シャフト４０５、４０６が挿通されている。４群枠４０１は、シャフト４０５、４０６に沿って移動できる。４群枠４０１には、フォーカスモータユニット４０７が取り付けられている。４群ユニット４００は、フォーカスモータユニット４０７から得られる動力によって、交換レンズ９００の光軸方向に移動できる。
【００３９】
［５．４群ユニット４００の可動範囲、及び断面図に示される４群ユニット４００の構成］
次に、４群ユニット４００の可動範囲、及び断面図に示される４群ユニット４００の構成について図８〜図１３を用いて説明する。図１１は、広角時における交換レンズ９００の４群ユニット４００の移動範囲を説明するための断面図である。図１２は、望遠時における交換レンズ９００の４群ユニット４００の移動範囲を説明するための断面図である。図１３Ａは、４群ユニット４００が最も被写体側に寄っている状態を示す３−４群ユニット９０３の側面図、図１３Ｂは、４群ユニット４００が最も像面側に寄っている状態を示す３−４群ユニット９０３の側面図である。
【００４０】
図１１に示すように、４群ユニット４００は、交換レンズ９００が広角位置にある場合に、３群ユニット３００のレンズＬ１１に接近する位置（図１１の状態４０７Ａ）と、５群ユニット９０４のレンズＬ１３に接近する位置（図１１の状態４０７Ｂ）と、の間を移動できるように構成されている。また、４群ユニット４００は、図１２に示すように、交換レンズ９００が望遠位置にある場合に、３群ユニット３００のレンズＬ１１に接近する位置（図１２の状態４０７Ａ）と、５群ユニット９０４のレンズＬ１３に接近する位置（図１２の状態４０７Ｂ）と、の間を移動できるように構成されている。また、４群ユニット４００は、図１３Ａに示す状態から図１３Ｂに示す状態への変化が示すように、図１１や図１２における状態４０７Ａから状態４０７Ｂに状態が変化する場合に、レンズＬ１２を保持した箇所を突出して移動可能にする。これにより、５群ユニット９０４の形状との関係で交換レンズ９００の全長方向の小型化が実現されている。
【００４１】
なお、図１１に示すように、４群ユニット４００は、３群ユニット３００の突出した枠の形状に沿う形状をしている。つまり、４群ユニット４００に設けられたテーパー形状をした収容部４０１ｅに、３群ユニット３００の突出した枠の一部が挿入される。これにより、４群ユニット４００は、３群ユニット３００に、より接近した位置に移動できる。また、貫通孔４０１ａ、４０１ｂ、４０１ｃは、収容部４０１ｅ上に設けられている。
【００４２】
ここで、レンズＬ１２は、被写体側から４群ユニット４００に対して接着固定される。４群ユニット４００には、図１１に示すように、被写体側に、接着溜まり４０１ｄ（他の２箇所は不図示）が設けられている。接着溜まり４０１ｄは、レンズＬ１１の接着溜まり３０１ａ、３０１ｂ、３０１ｃに対して位相がずらされている。言い換えると、接着溜まり４０１ｄは、レンズＬ１１の接着溜まり３０１ａ、３０１ｂ、３０１ｃとレンズＬ１１の周方向において異なる位置に配置されている。つまり、レンズＬ１１を固定するための接着溜まりとレンズＬ１２を固定するための接着溜まりとの位置が重ならないようになっている。これにより、４群ユニット４００が３群ユニット３００に接近した場合であっても、接着溜まり同士が干渉することをより軽減している。そして、４群ユニット４００が３群ユニット３００により接近できる。その結果、交換レンズ９００をより小型化できるようになっている。
【００４３】
また、図１１に示すように、４群ユニット４００は、５群ユニット９０４の被写体側の形状に沿った形状を、像面側に有する。そのため、４群ユニット４００は、５群ユニット９０４のレンズＬ１３により接近できる（図１１の４０７Ｂ）。また、４群ユニット４００は、レンズＬ１２の接着溜まりを被写体側に配置している。このため、４群ユニット４００は、５群ユニット９０４に対して、より接近させられる。
【００４４】
［６．４群ユニット４００に貫通孔４０１ａ、４０１ｂ、４０１ｃを設けることによる効果］
次に、４群ユニット４００に貫通孔４０１ａ、４０１ｂ、４０１ｃを設けることによる効果について図１４を用いて説明する。図１４は、３群ユニット３００と４群ユニット４００との位置関係を説明するための断面図である。
【００４５】
図１４は、３群ユニット３００と４群ユニット４００とが、交換レンズ９００の光軸方向において、最も接近した状態を示している。この状態において、交換レンズ９００の光軸に垂直な面に存在する特定の軸の方向から見ると、３群枠３０１に設けられた接着溜まり３０１ｃの一部分は、４群ユニット４００に設けられた貫通孔４０１ｃの内側の淵で形成される仮想的な面と重なっている。また、不図示ではあるが、接着溜まり３０１ａの一部分は、貫通孔４０１ａの内側の淵で形成される仮想的な面と重なっている。また、接着溜まり３０１ｂの一部分は、貫通孔４０１ｂの内側の淵で形成される仮想的な面と重なっている。言い換えると、仮に４群ユニット４００に貫通孔４０１ａ、４０１ｂ、４０１ｃが形成されておらず、３群ユニット３００と４群ユニット４００とが図１４に示す場合と同一の近さまで接近したとすると、接着溜まり３０１ａ、３０１ｂ、３０１ｃは、収容部４０１ｅの内側の面に接触してしまうこととなる。つまり、本実施の形態においては、接着溜まり３０１ａ、３０１ｂ、３０１ｃに対応する位置に、貫通孔４０１ａ、４０１ｂ、４０１ｃを設けることで、３群ユニット３００と４群ユニット４００とをより接近させることができている。
【００４６】
［７．まとめ］
本実施の形態に係る交換レンズ９００は、３群枠３０１と、４群枠４０１とを備える。３群枠３０１は、レンズＬ１１と、接着溜まり３０１ａ、３０１ｂ、３０１ｃとを有する。接着溜まり３０１ａ、３０１ｂ、３０１ｃは、レンズＬ１１に対してレンズＬ１１の径方向に突出した位置に設けられ、レンズＬ１１との間に窪みを形成する。また、３群枠３０１は、接着溜まり３０１ａ、３０１ｂ、３０１ｃに接着剤が注入されることで、レンズＬ１１を保持する。また、４群枠４０１は、３群枠３０１に対して、レンズＬ１１の光軸方向に相対的に移動できる。また、４群枠４０１は、光軸方向から見た場合に、接着溜まり３０１ａ、３０１ｂ、３０１ｃと対応する箇所に、貫通孔４０１ａ、４０１ｂ、４０１ｃがそれぞれ形成されている。
【００４７】
これにより、４群枠４０１に貫通孔４０１ａ、４０１ｂ、４０１ｃを設けない場合と比較して、３群枠３０１と４群枠４０１とをより接近させられる。その結果、交換レンズ９００の全長をより短くできる。
【００４８】
また、交換レンズ９００において、３群枠３０１と４群枠４０１とが最も接近した状態で、貫通孔４０１ａ、４０１ｂ、４０１ｃの内側の淵で形成される仮想的な面と、接着溜まり３０１ａ、３０１ｂ、３０１ｃの一部分とが重なる。
【００４９】
これにより、３群枠３０１と４群枠４０１とは、貫通孔４０１ａ、４０１ｂ、４０１ｃの内側の淵で形成される仮想的な面と、接着溜まり３０１ａ、３０１ｂ、３０１ｃの一部分とが重なる程度に接近できる。その結果、交換レンズ９００の全長をより短くできる。
【００５０】
また、交換レンズ９００において、４群枠４０１は、３群枠３０１の一部分を収容する収容部４０１ｅが形成されており、収容部４０１ｅはテーパー形状をしており、テーパー形状の一部に貫通孔４０１ａ、４０１ｂ、４０１ｃが形成されている。
【００５１】
これにより、３群枠３０１と４群枠４０１とをより近づけられる。その結果、交換レンズ９００の全長をより短くできる。
【００５２】
また、交換レンズ９００は、３群枠３０１と、４群枠４０１とを備える。３群枠３０１は、レンズＬ１１と、接着溜まり３０１ａ、３０１ｂ、３０１ｃとを有する。接着溜まり３０１ａ、３０１ｂ、３０１ｃは、レンズＬ１１に対してレンズＬ１１の径方向に突出した位置に設けられ、レンズＬ１１との間に窪みを形成する。３群枠３０１は、レンズＬ１１の光軸に対して垂直な面内で移動可能であり、接着溜まり３０１ａ、３０１ｂ、３０１ｃに接着剤が注入されることで、レンズＬ１１を保持する。また、４群枠４０１は、３群枠３０１に対して、レンズＬ１１の光軸方向に相対的に移動できる。また、４群枠４０１は、レンズＬ１１の光軸方向から見た場合に、接着溜まり３０１ａ、３０１ｂ、３０１ｃと対応する箇所に、貫通孔４０１ａ、４０１ｂ、４０１ｃが形成されている。
【００５３】
これにより、４群枠４０１に貫通孔４０１ａ、４０１ｂ、４０１ｃを設けない場合と比較して、３群枠３０１と４群枠４０１とをより接近させられる。その結果、交換レンズ９００の全長をより短くできる。
【００５４】
（他の実施の形態）
以上のように、本出願において開示する技術の例示として、実施の形態１を説明した。しかしながら、本開示における技術は、これに限定されず、適宜、変更、置き換え、付加、省略などを行った実施の形態にも適用可能である。
【００５５】
実施の形態１においては、４群ユニット４００に、貫通孔４０１ａ、４０１ｂ、４０１ｃを設けることとした。しかしながら、必ずしもこのような構成に限定されない。例えば、４群ユニット４００に貫通孔４０１ａ、４０１ｂ、４０１ｃを設けずに、内側の面において、接着溜まり３０１ａ、３０１ｂ、３０１ｃと対応した位置に、凹みを形成するようにしてもよい。このように、凹みを形成することで、凹みの底の部分に接着溜まり３０１ａ、３０１ｂ、３０１ｃが接触しない程度まで、３群枠３０１と４群枠４０１とを接近させられる。その結果、４群ユニット４００に凹みを設けない場合と比較して、レンズ鏡筒の全長を短くできる。
【００５６】
以上のように、本開示における技術の例示として、実施の形態を説明した。そのために、添付図面および詳細な説明を提供した。
【００５７】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００５８】
また、上述の実施の形態は、本開示における技術を例示するためのものであるから、特許請求の範囲またはその均等の範囲において種々の変更、置き換え、付加、省略などを行うことができる。
【産業上の利用可能性】
【００５９】
本開示は、レンズ鏡筒に利用できる。例えば、カメラに着脱可能な交換レンズ、又は、カメラに固定されるレンズ鏡筒ユニット等に本開示は適用できる。
【符号の説明】
【００６０】
２００  絞りユニット
２０１  絞りベース枠
２０２  絞りカバー
２０３  カムピン
２０４  カムピン
２０５  カムピンバネ
２０６  ガタ調整カムピン
２０７  摺動シャフト
２０８  摺動シャフト
２０９  摺動シャフト
２１０  移動規制ピン
２１１  回動軸
２１２  規制突起
３００  ３群ユニット
３０１  ３群枠
３０１ａ  接着溜まり
３０１ｂ  接着溜まり
３０１ｃ  接着溜まり
３０２  ヨーク
３０３  ヨーク
３０４  マグネット
３０５  マグネット
３０６  位置検出センサ用マグネット
３０７  遮光シート
３０８  遮光シート
４００  ４群ユニット
４０１  ４群枠
４０１ａ  貫通孔
４０１ｂ  貫通孔
４０１ｃ  貫通孔
４０１ｄ  接着溜まり
４０１ｅ  収容部
４０２  フォーカスラックピン
４０３  フォーカスラックバネ
４０４  フォーカスラック
４０５  シャフト
４０６  シャフト
４０７  フォーカスモータユニット
４０８  ビス
４０９  ビス
４１０  ビス
４１１  フォトインタラプタ
５００  シャフト保持部
９００  交換レンズ
９０１  １群ユニット
９０２  ２群ユニット
９０３  ３−４群ユニット
９０４  ５群ユニット
９０５  直進固定枠
９０６  カム筒
９０７  外装ユニット
９１０  遮光シート
９１１  側壁部
９１２  端部
９２１  突起
９２２  突起
９２３  遮光壁
【図１】
2014224985.tif 000003
【図２Ａ】
2014224985.tif 000004
【図２Ｂ】
2014224985.tif 000005
【図２Ｃ】
2014224985.tif 000006
【図３Ａ】
2014224985.tif 000007
【図３Ｂ】
2014224985.tif 000008
【図４】
2014224985.tif 000009
【図５】
2014224985.tif 000010
【図６Ａ】
2014224985.tif 000011
【図６Ｂ】
2014224985.tif 000012
【図７】
2014224985.tif 000013
【図８】
2014224985.tif 000014
【図９】
2014224985.tif 000015
【図１０】
2014224985.tif 000016
【図１１】
2014224985.tif 000017
【図１２】
2014224985.tif 000018
【図１３Ａ】
2014224985.tif 000019
【図１３Ｂ】
2014224985.tif 000020
【図１４】
2014224985.tif 000021